(57)【要約】【課題】吸音パネルを支柱に楔留めする作業の簡便化及びその時に生ずる騒音を防止する。【解決手段】前後一対の鋼板２、2aの間に上下に左右反対のねじ３、3aを螺刻したねじ棒４を軸支し、該ねじ棒４の左右ねじ３、3aの夫々に移動部材５、5aを螺合し、該移動部材５、5aと鋼板２、2aには、ねじ棒４の回転で移動部材５、5a相互が接近することにより、鋼板２、2aを外方へ膨出させる変形手段を設け、変形手段は、鋼板２、2aの間隔をその上下方向の中間に向かうに従い狭める様に各鋼板２、2aを湾曲形成すると共に、鋼板２、2aの湾曲した中間部を前後に伸縮するバネ材６、6aにて連結し、一方各移動部材５、5aは相互に対向する側７、7aに鋼板２、2aに挟持されて摺動自在な摺接面８、8aを設ける。【選択図】図７
2005248525.tif 000002
【特許請求の範囲】
【請求項１】
前後一対の鋼板の間に上下に左右反対のねじを螺刻したねじ棒を軸支し、該ねじ棒の左
右ねじの夫々に移動部材を螺合し、該移動部材と鋼板には、ねじ棒の回転で移動部材相互
が接近することにより、鋼板を外方へ膨出させる変形手段を設けたことを特徴とする防音
壁用止め金具。
【請求項２】
変形手段は、鋼板の間隔をその上下方向の中間に向かうに従い狭める様に各鋼板を湾曲
形成すると共に、鋼板の湾曲した中間部を前後に伸縮するバネ材にて連結し、一方各移動
部材は相互に対向する側に鋼板に挟持されて摺動自在な摺接面を設けたことを特徴とする
請求項１記載の防音壁用止め金具。
【請求項３】
変形手段は、各移動部材をこれらのねじ棒上の遠近移動により屈伸するバネ板で連結す
ると共に、バネ板の湾出する部位を鋼板に固着したことを特徴とする請求項１記載の防音
壁用止め金具。
【発明の詳細な説明】
【技術分野】
【０００１】
本発明は、防音壁を構成する吸音パネルを支柱に固定する防音壁用止め金具に関する。
【背景技術】
【０００２】
従来、高速道路、鉄道線路などの両脇に立設される防音壁は、吸音パネルの幅に対応し
た間隔を以て道路側縁に沿って立設された支柱間に複数の吸音パネルを縦に積み重ねるこ
とで構成している。
支柱はＨ形鋼から成り、隣接する支柱同士はその凹溝を内向させており、該凹溝に吸音
パネルの側縁をスライド自在に保持している。
凹溝は吸音パネルの肉厚より幅広で、吸音パネルはその前面の吸音面を凹溝の幅内で車
道側へ片寄せ、凹溝における吸音パネル背面側の隙間に止め金具を楔の様に打ち込んで固
定している。
止め金具は、例えば特許文献１に開示されている様に、薄肉な帯状金属板を所定形状に
屈曲形成したものにして、開閉方向に弾性を有する略凹字状の楔子体と、該楔子体の一方
の上端より凹字の内側へ略く字状に連続形成した内側支え部と、楔子体の他方の上端より
略水平に外方へ突出形成した支持部とから構成されている。
そして、支柱間に介装した最下層の吸音パネルの左右側縁を止め金具で支柱の凹溝に楔
留めし、同様な手順で積み上げられる各吸音パネルを楔留めして防音壁を形成している。
【特許文献１】実開平４ー５７５１３号公報
【発明の開示】
【発明が解決しようとする課題】
【０００３】
しかしながら、上記構成の止め金具による楔留めにあっては、凹溝における吸音パネル
背面側の隙間に、楔子体の下端側を挿入し、ハンマーで楔子体の上端を何度も叩打して楔
留めせねばならず、その楔留め作業に手間、時間を要すると共に、叩打によって止め金具
が変形して役に立たない場合があった。
又、特に民家に隣接する場所での夜間工事では、ハンマーの叩打で生ずる打撃音が騒音
となる課題を有していた。
【課題を解決するための手段】
【０００４】
本発明は、前後一対の鋼板の間に上下に左右反対のねじを螺刻したねじ棒を軸支し、該
ねじ棒の左右ねじの夫々に移動部材を螺合し、該移動部材と鋼板には、ねじ棒の回転で移
動部材相互が接近することにより、鋼板を外方へ膨出させる変形手段を設けた防音壁用止
め金具を提供することにより、上記課題を解決する。
又、変形手段は、鋼板の間隔をその上下方向の中間に向かうに従い狭める様に各鋼板を
湾曲形成すると共に、鋼板の湾曲した中間部を前後に伸縮するバネ材にて連結し、一方各
移動部材は相互に対向する側に鋼板に挟持されて摺動自在な摺接面を設けたもの、又は各
移動部材をこれらのねじ棒上の遠近移動により屈伸するバネ板で連結すると共に、バネ板
の湾曲する部位を鋼板に固着したものであっても良い。
【発明の効果】
【０００５】
要するに本発明は、前後一対の鋼板の間に上下に左右反対のねじを螺刻したねじ棒を軸
支し、該ねじ棒の左右ねじの夫々に移動部材を螺合し、該移動部材と鋼板には、ねじ棒の
回転で移動部材相互が接近することにより、鋼板を外方へ膨出させる変形手段を設けたの
で、かかる構成の止め金具本体を、Ｈ型鋼から成る支柱の凹溝の側壁間に嵌め込んだ吸音
パネルの左右側縁の背面と、該背面に対向する凹溝の側壁との隙間に介装した後、変形手
段にて鋼板を外方へ膨出変形させることによって吸音パネルを押圧して凹溝内にガタつき
なく強固に固定することができ、従来の様に止め金具本体をハンマーで叩打することなく
、ねじ棒を回転させるといった簡単な操作により容易に吸音パネルを楔留めでき、その作
業効率を向上させることができると共に、騒音発生の不具合を解消できる。
【０００６】
請求項２記載の発明では、変形手段は、鋼板の間隔をその上下方向の中間に向かうに従
い狭める様に各鋼板を湾曲形成すると共に、鋼板の湾曲した中間部を前後に伸縮するバネ
材にて連結し、一方各移動部材は相互に対向する側に鋼板に挟持されて摺動自在な摺接面
を設けて成るので、ねじ棒の回転操作にて移動部材を相互に接近させることにより、鋼板
は移動部材の挟持間隔が押し広げられながら外方へ膨出変形でき、上記と同様なる効果を
奏することができる。
【０００７】
請求項３記載の発明では、変形手段は、各移動部材をこれらのねじ棒上の遠近移動によ
り屈伸するバネ板で連結すると共に、バネ板の湾出する部位を鋼板に固着して成るので、
ねじ棒の回転操作にて移動部材を相互に接近させることにより、バネ板を外方へ湾出させ
られ、この湾出部位に固着した鋼板を外方へ膨出変形させられ、上記と同様なる効果を奏
することができる等その実用的効果甚だ大である。
【発明を実施するための最良の形態】
【０００８】
以下本発明の実施の一形態例を図面に基づいて説明する。
本発明に係る止め金具は、吸音パネルＰの幅に対応した間隔を以て高速道路等の側縁に
沿って立設された支柱Ｔ間に複数の吸音パネルＰを縦に積み重ねることで構成される防音
壁Ｗにおいて、Ｈ形鋼から成る支柱Ｔの凹溝Ｄ内に配した吸音パネルＰの左右側縁の背面
Ｐ１と、これに対向する凹溝Ｄの側壁Ｄ１との隙間Ｓ（凹溝Ｄの間隔と吸音パネルＰの肉
厚との差に相当）に介装することにより、吸音パネルＰの左右側縁を凹溝Ｄ内に強固に保
持するものである。
この止め金具は、錆び止めのため表面に溶融亜鉛メッキを施して成り、その本体１の外
殻を成す前後一対の鋼板２、2aの間に、上下に左右反対のねじ３、3aを螺刻し、且つ上端
に円柱状又は六角柱状（図示例では六角柱）の頭部4aを有するねじ棒４を軸支し、該ねじ
棒４の左右ねじ３、3aの夫々に移動部材５、5aを螺合している。
そして、移動部材５、5aと鋼板２、2aには、ねじ棒４の回転で移動部材５、5a相互が接
近することにより、鋼板２、2aを外方へ膨出させる変形手段を設けている。
尚、ねじ棒４上で移動部材５、5aが所定間隔を置いて離れた状態では、移動部材５、5a
外面間の距離は、上記隙間Ｓより若干短く設定され、この状態の本体１を隙間Ｓ内に無理
なく配置できる様にしている。
又、ねじ棒４の頭部4aには、その上面より六角棒スパナが嵌め込まれる六角穴を凹設し
ており、又図示例では、ねじ棒４の上方に左ねじ３を螺刻し、下方に右ねじ3aを螺刻した
ものを示したが、その逆であっても良い。
【０００９】
上記変形手段は、鋼板２、2aの間に存する移動部材５、5aがねじ棒４の回転によっても
回転せずに鋼板２、2aを摺動自在と成すことによりねじ棒４に沿って上下動する様にし、
移動部材５、5aが左右ねじ３、3aの境界に向かって接近するに従い鋼板２、2aの夫々を押
し広げ、これらの外方へ膨出変形させる様に成している。
このため、鋼板２、2aはその間隔を上記境界に対応した上下方向の中間部位に向かうに
従い狭める様に湾曲形成すると共に、鋼板２、2aの湾曲した中間部の左右端縁を前後に伸
縮するバネ材６、6aにて連結している。
このバネ材６、6aは、略弓型に形成され、その端部に設けたフックを上記左右端縁に穿
設した透孔に掛止している。
一方、各移動部材５、5aは、その中心軸線上にねじ棒４に螺合する雌ねじを設けた特異
形状のナットであり、移動部材５、5aにおいて相互に対向する側（左右ねじ３、3aの境界
に指向する先端側）７、7aには、鋼板２、2aに挟持されて摺動自在な摺接面８、8a、即ち
図示例の様な鋼板２、2aを摺動する湾曲面（又は斜面）８、8aを設けている。
又、鋼板２、2aの下端は、内側へ略水平に屈曲形成し、移動部材5aの抜止め９、9aと成
している。
鋼板２の上端も同様に屈曲形成し、移動部材５の抜止め10と成すと共に、その端縁に半
円状の切欠10ａを形成し、該切欠10ａにねじ棒４を挿通してその頭部4aを抜止め10上で回
転自在に支持することにより、ねじ棒４を軸支している。
鋼板2aの上端は、吸音パネルＰの上面に載置する支持部11を外側へ所定角度（後述の吸
音パネルＰ上面の傾斜角度に対応）を以て延設し、支持部11にはワイヤ挿通孔12を設けて
いる。
【００１０】
次に、図９〜14に示す止め金具の他例について説明する。
尚、上記実施例と同一又は相当部分は同じ符号を付し、説明を省略する。
この止め金具本体１の外殻を成す鋼板２、2aは、その下端がＵ字状に連続形成され、鋼
板２上端は、内側に水平に屈曲され、その上面にねじ棒４が遊挿し、その頭部4aが回転自
在に支持され、これによりねじ棒４を鋼板２、2a間に軸支している。
【００１１】
移動部材５、5aは、鋼板２、2aと同幅で鋼板２、2aの間隔より短い奥行きを有する薄肉
板状に形成され、その幅方向の中間部位に雌ねじを螺刻し、移動部材５、5aをねじ棒４の
左右ねじ３、3aの夫々に螺合している。
変形手段は、各移動部材５、5aと鋼板２、2aをバネ板13、13ａを介して連繋して成り、
該バネ板13、13ａは、鋼板２、2aと同幅の方形状に形成され、移動部材５、5aのねじ棒４
上の遠近移動により屈伸する様に鋼板２、2aとの対向面が湾出形成され、その各端部を移
動部材５、5aに溶接等にて固着しており、バネ板13、13ａにおいて、移動部材５、5aの接
近移動にて最も湾出する中間部位を溶接又はビス止めにて鋼板２、2aに固着している。
この様に構成することにより、移動部材５、5aはねじ棒４の回転によっても回転せずに
ねじ棒４に沿って上下動し、移動部材５、5aが左右ねじ３、3aの境界に向かって接近する
に従い湾出度が大きくなるバネ板13、13ａにより鋼板２、2aは押し広げられ、外方へ膨出
変形させる様に成している。
尚、本実施例にあっては、鋼板２、2aの下部を一体的に連結したものを示したが、鋼板
２、2aは別体であっても良い。
【００１２】
次に、高速道路等の作業現場での止め金具の取付けについて説明する。
ここに、吸音パネルＰは、前面と成る吸音面に多数のスリット又は所定形状の穴を形成
した金属製又はプラスチック製のパネル型ケースにロックウール、グラスウールなどの吸
音材を内装したものであり、吸音パネルＰのケースの上下面は、相互に平行な傾斜面と成
し、多数の吸音パネルＰを支柱Ｔ間に介装して積み重ねた状態で、各吸音パネルＰの当接
する上下面から音が漏れることを極力防止している。
又、吸音パネルＰにおいて、支柱Ｔの凹溝Ｄ内に配する左右側縁は、その長さに渡りＵ
字溝Ｐ２を凹設し、該Ｕ字溝Ｐ２内にアイボルトＰ３を植設しており、該アイボルトＰ３
のリング部には、凹溝Ｄ内に吸音パネルＰの左右側縁を配した際に落下防止用のワイヤＬ
を挿通している。
そして、現場において、隣接して立設する支柱Ｔの相対向する凹溝Ｄ間に吸音パネルＰ
の左右側縁を挿入し、吸音パネルＰの吸音面を凹溝Ｄの幅内で車道側へ片寄せ、支持部11
のワイヤ挿入孔12にワイヤＬを挿通すると共に支持部11を吸音パネルＰの左右側縁の上面
に載置し、止め金具本体１を凹溝Ｄにおける吸音パネルＰの背面Ｐ１側の隙間Ｓに配する
。
次に、ねじ棒４の頭部4aを六角棒スパナ又はスパナ等にて移動部材５、5aが相互に接近
する方向に回転させる。
図１〜８に示す止め金具では、ねじ棒４の上記回転により移動部材５、5aは鋼板２、2a
を摺動しながらねじ棒４の左右ねじ３、3aの境界である中間部へ向かって移動する。
そして、鋼板２、2aの間隔は中間に向かうに従い狭まっており、かかる形状に沿って摺
動できる摺接面８、8aを移動部材５、5aはその先端側７、7aに有しているので、移動部材
５、5aは相互に接近するに従って比較的スムーズに鋼板２、2aを外方へ押し開く。
これにより、鋼板２、2aの中間部の間隔はバネ材６、6aの付勢力に抗して広がり、鋼板
２、2aの上下側は、図３の一点鎖線で示す様に、外方へ膨出変形し、この膨出変形により
、吸音パネルＰを凹溝Ｄ内の車道側へ押圧保持する。
図９〜14に示す止め金具では、上記と同様に隙間Ｓに配した後、ねじ棒４を上記と同方
向に回転させ、移動部材５、5aをねじ棒４の左右ねじ３、3aの境界へ向かって接近移動さ
せると、移動部材５、5aの離間により伸長状態であったバネ板13、13ａが徐々に屈曲して
その夫々が前後に湾出変形する。
この変形に伴いバネ板13、13ａの湾出部位に固着された鋼板２、2aは外方へ押し開かれ
、図11の一点鎖線で示す様に、外方へ膨出変形し、この膨出変形により、吸音パネルＰを
凹溝Ｄ内の車道側へ押圧保持する。
当然ながら、上記２タイプの本体１が凹溝Ｄ内で吸音パネルＰを押圧できるのは、鋼板
２、2aの外方膨出変形による鋼板２、2aの上下側の最大開き幅が図３、11中一点鎖線で示
す様に隙間Ｓより広くなる様に設定しているからである。
尚、図３、11において、二点鎖線は、凹溝Ｄにおける隙間Ｓを示す。
【図面の簡単な説明】
【００１３】
【図１】止め金具の正面図である。
【図２】図１のＡーＡ断面図である。
【図３】図２において移動部材の接近により変形した状態を示す図である。
【図４】図１のＢーＢ断面図である。
【図５】図４において移動部材の接近により変形した状態を示す図である。
【図６】上記止め金具を使用した防音壁の断面図である。
【図７】図６の要部拡大図である。
【図８】図６のＣーＣ拡大断面図である。
【図９】他の実施例の正面図である。
【図１０】図９のＤーＤ断面図である。
【図１１】図１０において移動部材の接近により変形した状態を示す図である。
【図１２】上記止め金具を使用した防音壁の断面図である。
【図１３】図１２の要部拡大図である。
【図１４】図１２のＥーＥ拡大断面図である。
【符号の説明】
【００１４】
２、2a    鋼板
３        左ねじ
3a        右ねじ
５、5a    移動部材
６、6a    バネ材
８、8a    摺接面
13、13ａ  バネ板
【図１】
2005248525.tif 000003
【図２】
2005248525.tif 000004
【図３】
2005248525.tif 000005
【図４】
2005248525.tif 000006
【図５】
2005248525.tif 000007
【図６】
2005248525.tif 000008
【図７】
2005248525.tif 000009
【図８】
2005248525.tif 000010
【図９】
2005248525.tif 000011
【図１０】
2005248525.tif 000012
【図１１】
2005248525.tif 000013
【図１２】
2005248525.tif 000014
【図１３】
2005248525.tif 000015
【図１４】
2005248525.tif 000016